(57)【要約】    【課題】      下筐体に対する上筐体の開閉動作に伴って自動的に電話機本体の表示画面の汚れを拭き取ることができる携帯電話機を提供すること。    【解決手段】  本発明の携帯電話機１００は、下筐体１１０と、内側に表示画面１４０を有する上筐体１２０と、下筐体１１０に対し上筐体１２０を開閉可能に連結しているヒンジ部材１３０と、を具備する。ヒンジ部材１３０は、上筐体１２０の開閉動作に伴って回転される回転軸１３１を具備する。携帯電話機１００は、表示画面１４０を被覆する大きさの布１５０と、下筐体１１０に対し上筐体１２０を閉じた時に布１５０が表示画面１４０に接触した状態で表示画面１４０を被覆する被覆位置に布１５０を配置する布配置装置１６０と、上筐体１２０の開閉動作に伴う回転軸１３１の回転力により布１５０を前記被覆位置から上筐体１２０の外表面までの間で往復移動をさせる布往復移動装置１７０と、を具備する。  【選択図】      図１
2006109336.tif 000002
【特許請求の範囲】
【請求項１】
下筐体と、内側に表示画面を有する上筐体と、前記下筐体に対し前記上筐体を開閉可能に連結しているヒンジ部材と、を具備し、前記ヒンジ部材は、前記上筐体の開閉動作に伴って回転される回転軸を具備する携帯電話機において、
前記表示画面を被覆する大きさの布と、
前記下筐体に対し前記上筐体を閉じた時に前記布が前記表示画面に接触した状態で前記表示画面を被覆する被覆位置に前記布を配置する布配置手段と、
前記上筐体の開閉動作に伴う前記回転軸の回転力により前記布を前記被覆位置から前記上筐体の外表面までの間で往復移動をさせる布往復移動手段と、
を具備することを特徴とする携帯電話機。
【請求項２】
前記布配置手段は、前記布の両端部を保持する２つのタイミングベルトと、
前記２つのタイミングベルトを移動可能に支持する２対のタイミングプーリーと、を具備し、
前記布往復移動手段は、
前記２つのタイミングベルトと、
前記２対のタイミングプーリーと、
前記回転軸の回転力を前記タイミングプーリーに伝達して前記タイミングベルトを往復移動させるタイミングベルト往復移動手段と、を具備することを特徴とする請求項１に記載の携帯電話機。
【発明の詳細な説明】
【技術分野】
【０００１】
本発明は、下筐体に対し上筐体が開閉可能である携帯電話機に関するものである。
【背景技術】
【０００２】
従来の携帯電話機として、図５に示すものがある（特許文献１参照）。この従来の携帯電話機１０は、電話機本体１１にストラップ１２を介して布１３が取り付けられている。この布１３は、電話機本体１１の液晶表示画面１１Ａの汚れを拭き取るためのものである。  
【特許文献１】特開２００２−７８５２２号公報
【発明の開示】
【発明が解決しようとする課題】
【０００３】
しかしながら、前記従来の携帯電話機においては、電話機本体１１の液晶表示画面１１Ａの汚れを拭き取るためだけに利用者が動作をしなければならないから、利用者にとっては面倒であるという問題がある。
【０００４】
本発明は、かかる点に鑑みてなされたものであり、下筐体に対する上筐体の開閉動作に伴って自動的に電話機本体の表示画面の汚れを拭き取ることができる携帯電話機を提供することを目的とする。
【課題を解決するための手段】
【０００５】
本発明は、下筐体と、内側に表示画面を有する上筐体と、前記下筐体に対し前記上筐体を開閉可能に連結しているヒンジ部材と、を具備し、前記ヒンジ部材は、前記上筐体の開閉動作に伴って回転される回転軸を具備する携帯電話機において、前記表示画面を被覆する大きさの布と、前記下筐体に対し前記上筐体を閉じた時に前記布が前記表示画面に接触した状態で前記表示画面を被覆する被覆位置に前記布を配置する布配置手段と、前記上筐体の開閉動作に伴う前記回転軸の回転力により前記布を前記被覆位置から前記上筐体の外表面までの間で往復移動をさせる布往復移動手段と、を具備する構成を採る。
【発明の効果】
【０００６】
本発明によれば、下筐体に対し上筐体を閉じた時に布が表示画面に接触した状態で前記表示画面を被覆する被覆位置に前記布を配置し、前記上筐体の開閉動作に伴う回転軸の回転力により前記布を前記被覆位置から前記上筐体の外表面までの間で往復移動をさせるため、下筐体に対する上筐体の開閉動作に伴って自動的に電話機本体の前記表示画面の汚れを拭き取ることができる。
【発明を実施するための最良の形態】
【０００７】
次に、本発明の実施の形態について、図面を参照して詳細に説明する。
【０００８】
（一実施の形態）
図１は、本発明の一実施の形態に係る携帯電話機を示す略斜視図である。図２は、本発明の一実施の形態に係る携帯電話機の布配置装置及び布往復移動装置を示す平面図である。
【０００９】
図１及び図２に示すように、本発明の一実施の形態に係る携帯電話機１００は、下筐体１１０及び上筐体１２０と、下筐体１１０に対し上筐体１２０を開閉可能に連結しているヒンジ部材１３０と、を具備している。下筐体１１０及び上筐体１２０は、電話機本体を内蔵している。上筐体１２０は、内側に表示画面を１４０を具備している。
【００１０】
ヒンジ部材１３０は、回転軸１３１及び軸保持部材１３２を具備している。回転軸１３１は、下筐体１１０に対する上筐体１２０の開閉動作に伴って回転される。軸保持部材１３２は、回転軸１３１を回転可能に保持している。回転軸１３１は、上筐体１２０の一端部に固定されている。軸保持部材１３２は、下筐体１１０の一端部に固定されている。
【００１１】
携帯電話機１００は、布１５０、布配置装置１６０及び布往復移動装置１７０を具備している。
【００１２】
布１５０は、表示画面１４０を被覆する大きさのものである。布配置装置１６０は、下筐体１１０に対し上筐体１２０を閉じた時に布１５０が表示画面１４０に接触した状態で表示画面１４０を被覆する被覆位置に布１５０を配置する。
【００１３】
布配置装置１６０は、２つの回転バー１６１、１６２、複数の保持部材１６３（図２）、２対のタイミングプーリー１６４、１６５、１６６、１６７及び２つのタイミングベルト１６８、１６９を具備している。
【００１４】
２つの回転バー１６１、１６２は、上筐体１２０の表示画面１４０の両側部に配置されている。複数の保持部材１６３は、上筐体１２０の表示画面１４０の両側部に固定され、かつ、２つの回転バー１６１、１６２を回転可能に保持している。
【００１５】
２つのタイミングプーリー１６４、１６５は、回転バー１６１に所定間隔をおいて固定されている。また、２つのタイミングプーリー１６６、１６７は、回転バー１６２に所定間隔をおいて固定されている。タイミングプーリー１６４は、タイミングプーリー１６６と対向するように配置されている。また、タイミングプーリー１６５は、タイミングプーリー１６７と対向するように配置されている。
【００１６】
タイミングベルト１６８は、上筐体１２０を囲むようにタイミングプーリー１６４とタイミングプーリー１６６とに取り掛けられている。また、タイミングベルト１６９は、上筐体１２０を囲むようにタイミングプーリー１６５とタイミングプーリー１６７とに取り掛けられている。布１５０の両端部は、２つのタイミングベルト１６８、１６９に固定されている。布１５０は、下筐体１１０に対し上筐体１２０を閉じた時に表示画面１４０に接触した状態で表示画面１４０を被覆する被覆位置に配置されている。
【００１７】
布往復移動装置１７０は、下筐体１１０に対する上筐体１２０の開閉動作に伴う回転軸１３１の回転力により布１５０を前記被覆位置から上筐体１２０の外表面までの間で往復移動をさせるものである。すなわち、布往復移動装置１７０は、布１５０を図３に示す前記被覆位置から図４に示す上筐体１２０の外表面までの間で往復移動をさせるものである。
【００１８】
布往復移動装置１７０は、２つの回転バー１６１、１６２、複数の保持部材１６３、２対のタイミングプーリー１６４、１６５、１６６、１６７、２つのタイミングベルト１６８、１６９、２つの駆動傘歯車１７１、１７２及び２つの従動傘歯車１７３、１７４を具備している。布往復移動装置１７０と布配置装置１６０は、２つの回転バー１６１、１６２、複数の保持部材１６３、２対のタイミングプーリー１６４〜１６７及び２つのタイミングベルト１６８、１６９を共有している。
【００１９】
２つの駆動傘歯車１７１、１７２は、回転軸１３１の両端部に固定されており、かつ、回転軸１３１の回転により回転される。２つの従動傘歯車１７３、１７４は、２つの回転バー１６１、１６２の端部に固定されており、かつ、駆動傘歯車１７１、１７２と噛み合うように配置されている。
【００２０】
回転軸１３１が上筐体１２０の開閉動作に伴って回転されると、回転軸１３１及び２つの駆動傘歯車１７１、１７２の回転力が２つの従動傘歯車１７３、１７４を介して２つの回転バー１６１、１６２に伝達されてこれらの回転バー１６１、１６２が回転される。これらの回転バー１６１、１６２が回転されると、これらの回転バー１６１、１６２と一体の２対のタイミングプーリー１６４〜１６７が回転される。これらのタイミングプーリー１６４〜１６７が回転されると、これらのタイミングプーリー１６４〜１６７に取り掛けられている２つのタイミングベルト１６８、１６９が移動されて布１５０が移動される。
【００２１】
この場合に、タイミングベルト１６８、１６９及び布１５０の移動距離を大きくするために、従動傘歯車１７３、１７４の歯数は駆動傘歯車１７１、１７２の歯数より少なく設定され、かつ、２対のタイミングプーリー１６４〜１６７の直径は従動傘歯車１７３、１７４の直径より大きく設定されている。
【００２２】
布１５０は、上筐体１２０が下筐体１１０に対して最大角度だけに開放された時に、上筐体１２０の外表面に配置される。すなわち、この場合に、布１５０は、上筐体１２０における表示画面１４０とは反対の表面である外表面に配置される。
【００２３】
このように、布１５０は、下筐体１１０に対し上筐体１２０を閉じた時に布１５０が表示画面１４０に接触した状態で表示画面１４０を被覆する被覆位置に配置され、かつ、布往復移動装置１７０により表示画面１４０に接触した状態で表示画面１４０に沿って移動されるため、上筐体１２０の開閉動作に伴って表示画面１４０の汚れが布１５０により自動的に拭き取られる。
【産業上の利用可能性】
【００２４】
本発明は、下筐体に対する上筐体の開閉動作に伴って自動的に電話機本体の表示画面の汚れを拭き取ることができる効果を有し、携帯電話機に有用である。
【図面の簡単な説明】
【００２５】
【図１】本発明の一実施の形態に係る携帯電話機を示す略斜視図
【図２】本発明の一実施の形態に係る携帯電話機の布配置装置及び布往復移動装置を示す平面図
【図３】本発明の一実施の形態に係る携帯電話機の一つの状態を示す略平面図
【図４】本発明の一実施の形態に係る携帯電話機の他の状態を示す略平面図
【図５】従来の携帯電話機を示す略正面図
【符号の説明】
【００２６】
１００  携帯電話機
１１０  下筐体
１２０  上筐体
１３０  ヒンジ部材
１３１  回転軸
１３２  軸保持部材
１４０  表示画面
１５０  布
１６０  布配置装置
１６１、１６２  回転バー
１６３  保持部材
１６４〜１６７  タイミングプーリー
１６８、１６９  タイミングベルト
１７０  布往復移動装置
１７１、１７２  駆動傘歯車
１７３、１７４  従動傘歯車
【図１】
2006109336.tif 000003
【図２】
2006109336.tif 000004
【図３】
2006109336.tif 000005
【図４】
2006109336.tif 000006
【図５】
2006109336.tif 000007